(57)【要約】【課題】顧客と美容師の染上がり髪色のイメージのギャップを埋めて、ヘアカラーミックスによるヘアカラーリングの的確な施術を実現する。【解決手段】第１〜５レイヤーを備えたベース画面をディスプレイ表示するベース画面表示部と、髪色データ格納部3に登録された髪色のうちの１の髪色の選択の入力を受ける第１入力部6と、ヘアカラー剤データ格納部４に登録されたヘアカラー剤のうちの２つのヘアカラー剤と、その混合の割合の選択の入力を受ける第２入力部7と、ヘアライン画像を所定の透明度で第１レイヤーに表示する第１画像表示部8と、選択された髪色を透明度なしで第５レイヤーに表示する第２画像表示部9と、選択されたヘアカラー剤の色をそれぞれ第３及び第４レイヤーに選択された混合の割合に対応した透明度で表示する第３画像表示部10と、選択された髪色を所定の透明度で第２レイヤーに表示する第４画像表示部11を備える。【選択図】図２
2007525293.tif 000002
【特許請求の範囲】
【請求項１】
ディスプレイ部と、
前記ディスプレイ部の所定の表示領域に、上から順に、第１〜第５のレイヤーを備えたベース画面を表示するベース画面表示部と、
ヘアカラーリングを行うべき元の髪色の色毎のＲＧＢ値が予め登録された髪色データ格納部と、
ヘアカラー剤の色毎のＲＧＢ値が予め登録されたヘアカラー剤データ格納部と、
ヘアライン画像の表示データが予め登録されたヘアラインデータ格納部と、
前記髪色データ格納部に登録された髪色のうちの１の髪色の選択の入力を受ける第１入力部と、
前記ヘアカラー剤データ格納部に登録されたヘアカラー剤のうちの２つのヘアカラー剤の選択と、選択された２つのヘアカラー剤の混合の割合の選択の入力を受ける第２入力部と、
前記ヘアラインデータ格納部に登録された表示データに基づき、対応するヘアライン画像を所定の透明度で、前記ベース画面の第１のレイヤーに表示する第１画像表示部と、
前記第１入力部で受けた入力に基づき、選択された髪色のＲＧＢ値を前記髪色データ格納部から抽出し、前記選択された髪色を透明度なしで、前記ベース画面の第５のレイヤーに表示する第２画像表示部と、
前記第２入力部で受けた入力に基づき、選択された２つのヘアカラー剤のＲＧＢ値を前記ヘアカラー剤データ格納部から抽出し、前記選択されたヘアカラー剤の色をそれぞれ、前記ベース画面の第３および第４のレイヤーに、選択されたヘアカラー剤の混合の割合に対応した透明度で表示する第３画像表示部と、
前記第１入力部で受けた入力に基づき、選択された髪色のＲＧＢ値を前記髪色データ格納部から抽出し、前記選択された髪色を所定の透明度で、前記ベース画面の第２のレイヤーに表示する第４画像表示部と、を備えていることを特徴とするカラーシミュレーションシステム。
【請求項２】
前記ベース画面表示部によって表示された前記ベース画面は、前記第１および第２のレイヤーの間に中間レイヤーを備えており、
前記カラーシミュレーションシステムは、さらに、
前記ヘアライン画像とラインおよび色が異なる第２のヘアライン画像の表示データが予め登録された第２ヘアラインデータ格納部と、
前記第２ヘアラインデータ格納部に登録された表示データに基づき、対応する第２のヘアライン画像を所定の透明度で、前記ベース画面の中間レイヤーに表示する第５画像表示部と、を備えていることを特徴とする請求項１に記載のカラーシミュレーションシステム。
【請求項３】
前記第３画像表示部は、前記選択された２つのヘアカラー剤の色を、その色が有するＲＧＢ値より予め決定された値だけ濃いＲＧＢ値を有する色に置き換えて、それぞれ、前記第３および第４のレイヤーに前記混合の割合に対応した透明度で表示するようになっていることを特徴とする請求項２に記載のカラーシミュレーションシステム。
【請求項４】
前記第３画像表示部は、前記第３のレイヤーに表示されるヘアカラー剤の色の透明度を、前記ヘアカラー剤の混合の割合から決定される透明度より所定値だけ低い値に変更し、かつ、前記第４のレイヤーに表示されるヘアカラー剤の色の透明度を、前記混合の割合から決定される透明度より前記所定値だけ高い値に変更し、前記第３および第４のレイヤーに、それぞれ、前記変更した透明度で、対応するヘアカラー剤の色を表示するようになっていることを特徴とする請求項１〜請求項３のいずれかに記載のカラーシミュレーションシステム。
【請求項５】
前記ディスプレイ部の前記表示領域は、前記ディスプレイ部に表示されたモデルの顔の頭髪部分であることを特徴とする請求項１〜請求項４のいずれかに記載のカラーシミュレーションシステム。
【発明の詳細な説明】
【技術分野】
【０００１】
本発明は、ヘアカラーリングの施術前に、元の髪色にヘアカラー剤を適用したときの髪色の染上がりをシミュレーションするためのカラーシミュレーションシステムに関するものである。
【背景技術】
【０００２】
近年、ヘアカラーリングによって頭髪を自分の好みの髪色に染め、髪色をメイクアップの色や服装の色とトータルにカラーコーディネートして、おしゃれを楽しむ人が増えてきている。ところが、ヘアカラーリングを施術した場合に、使用されるヘアカラー剤自体の色に染上がることはなく、染上がりの髪色は、髪の太さや硬さ、ヘアカラーリング前の髪色等のその人の髪質に大きく依存する。
【０００３】
そして、美容室においては、ヘアカラーリングの施術に際し、美容師による顧客に対するカウンセリングがなされ、顧客が希望する染上がりの髪色と美容師が自らの経験から予想する染上がりの髪色のイメージのギャップをできるだけ小さくすることがなされている。しかしながら、髪色のイメージは極めて感覚的なものであり、これを言葉で表現することは難しい。この不都合を解消するため、特開平９−２０４１３８号公報において、美容師および顧客に対して共通の染上がり予想髪色のイメージを提供し、それに基づいて円滑なカウンセリングがなされるように意図された装置が、提案されている。
【０００４】
ところで、消費者の髪色に対する多様なニーズに応えるため、最近では、２種類のヘアカラー剤を混ぜ合わせる、いわゆるヘアカラーミックスというヘアカラーリングの手法が用いられるようになってきている。そして、ヘアカラーミックスの場合には、望まれた髪色に染め上げることは、従来のような１種類のヘアカラー剤を用いたヘアカラーリングの場合よりも一層難しく、よって、事前のカウンセリングにおいては、顧客が希望する染上がりの髪色と美容師が予想する染上がりの髪色のイメージのギャップを埋める作業を、より慎重かつ的確に行う必要があった。
【０００５】
しかしながら、ヘアカラーミックスによるヘアカラーリングの場合に、美容師および顧客に対して共通の染上がり予想髪色のイメージを提供することによって、円滑なカウンセリングを実現するための手段は従来技術には存在していなかった。
【発明の開示】
【発明が解決しようとする課題】
【０００６】
したがって、本発明の課題は、ヘアカラーミックスによるヘアカラーリングの場合に、顧客が希望する染上がりの髪色と美容師が予想する染上がりの髪色のイメージのギャップをできるだけ小さくし、ヘアカラーリングの的確な施術を実現することができる手段を提供することにある。
【課題を解決するための手段】
【０００７】
上記課題を解決するため、本発明は、ディスプレイ部と、前記ディスプレイ部の所定の表示領域に、上から順に、第１〜第５のレイヤーを備えたベース画面を表示するベース画面表示部と、ヘアカラーリングを行うべき元の髪色の色毎のＲＧＢ値が予め登録された髪色データ格納部と、ヘアカラー剤の色毎のＲＧＢ値が予め登録されたヘアカラー剤データ格納部と、ヘアライン画像の表示データが予め登録されたヘアラインデータ格納部と、前記髪色データ格納部に登録された髪色のうちの１の髪色の選択の入力を受ける第１入力部と、前記ヘアカラー剤データ格納部に登録されたヘアカラー剤のうちの２つのヘアカラー剤の選択と、選択された２つのヘアカラー剤の混合の割合の選択の入力を受ける第２入力部と、前記ヘアラインデータ格納部に登録された表示データに基づき、対応するヘアライン画像を所定の透明度で、前記ベース画面の第１のレイヤーに表示する第１画像表示部と、前記第１入力部で受けた入力に基づき、選択された髪色のＲＧＢ値を前記髪色データ格納部から抽出し、前記選択された髪色を透明度なしで、前記ベース画面の第５のレイヤーに表示する第２画像表示部と、前記第２入力部で受けた入力に基づき、選択された２つのヘアカラー剤のＲＧＢ値を前記ヘアカラー剤データ格納部から抽出し、前記選択されたヘアカラー剤の色をそれぞれ、前記ベース画面の第３および第４のレイヤーに、選択されたヘアカラー剤の混合の割合に対応した透明度で表示する第３画像表示部と、前記第１入力部で受けた入力に基づき、選択された髪色のＲＧＢ値を前記髪色データ格納部から抽出し、前記選択された髪色を所定の透明度で、前記ベース画面の第２のレイヤーに表示する第４画像表示部と、を備えていることを特徴とするカラーシミュレーションシステムを構成したものである。
【０００８】
上記構成において、好ましくは、前記ベース画面表示部によって表示された前記ベース画面は、前記第１および第２のレイヤーの間に中間レイヤーを備えており、前記カラーシミュレーションシステムは、さらに、前記ヘアライン画像とラインおよび色が異なる第２のヘアライン画像の表示データが予め登録された第２ヘアラインデータ格納部と、前記第２ヘアラインデータ格納部に登録された表示データに基づき、対応する第２のヘアライン画像を所定の透明度で、前記ベース画面の中間レイヤーに表示する第５画像表示部と、を備えている。
また好ましくは、前記第３画像表示部は、前記選択された２つのヘアカラー剤の色を、その色が有するＲＧＢ値より予め決定された値だけ濃いＲＧＢ値を有する色に置き換えて、それぞれ、前記第３および第４のレイヤーに前記混合の割合に対応した透明度で表示するようになっている。
また、好ましくは、前記第３画像表示部は、前記第３のレイヤーに表示されるヘアカラー剤の色の透明度を、前記ヘアカラー剤の混合の割合から決定される透明度より所定値だけ低い値に変更し、かつ、前記第４のレイヤーに表示されるヘアカラー剤の色の透明度を、前記混合の割合から決定される透明度より前記所定値だけ高い値に変更し、前記第３および第４のレイヤーに、それぞれ、前記変更した透明度で、対応するヘアカラー剤の色を表示するようになっている。
また、好ましくは、前記ディスプレイ部の前記表示領域は、前記ディスプレイ部に表示されたモデルの顔の頭髪部分である。
【発明の効果】
【０００９】
本発明によれば、レイヤー構造を備えた画面を準備し、各レイヤーに、ヘアライン画像およびヘアカラーリング前の元の髪色を所定の透明度で表示し、また、混合して適用される２種類のへカラー剤の色をその混合の割合に応じた透明度で表示して、それらを重ね合わせて表示したことにより、実際にヘアカラーリングによって染め上げられた髪色に非常に近似した質感および色合いの頭髪をディスプレイ表示することが可能となる。
こうして、本発明によるシステムを用い、ディスプレイ表示される髪色を見ながらヘアカラーリングのシミュレーションを行うことにより、顧客が希望する染上がりの髪色と美容師が予想する染上がりの髪色のイメージのギャップをできるだけ小さくすることができ、ヘアカラーリングの的確な施術を実現することが可能となる。
【発明を実施するための最良の形態】
【００１０】
以下、添付図面を参照して本発明の好ましい実施例について説明する。図１は、本発明の１実施例によるカラーシミュレーションシステムのブロック図である。図１に示されるように、本発明のシステムは、ディスプレイ部１と、ディスプレイ部１の所定の表示領域に、上から順に、第１〜第５のレイヤーを備えたベース画面を表示するベース画面表示部２を備えている。
本発明のシステムは、また、ヘアカラーリングを行うべき元の髪色の色毎のＲＧＢ値が予め登録された髪色データ格納部３と、ヘアカラー剤の色毎のＲＧＢ値が予め登録されたヘアカラー剤データ格納部４と、ヘアライン画像の表示データが予め登録されたヘアラインデータ格納部５を備えている。ヘアライン画像は、毛髪の影の部分のみが残され、他の部分は透明となるように形成されている。
【００１１】
また、本発明のシステムは、髪色データ格納部３に登録された髪色のうちの１の髪色の選択の入力を受ける第１入力部６と、ヘアカラー剤データ格納部４に登録されたヘアカラー剤のうちの２つのヘアカラー剤の選択と、選択された２つのヘアカラー剤の混合の割合の選択の入力を受ける第２入力部７を備えている。
【００１２】
図２は、本発明のシステムのディスプレイ部１に表示される主要画面を示した図である。図２を参照して、画面の左下に配置された第１の表示領域２０には、モデルの顔が表示される。そして、この実施例では、ベース画面表示部２が表示するベース画面は、このモデルの顔の頭髪部分２５からなっている。なお、モデルの顔の代わりに、例えば、デジタルカメラ等の適当な画像取り込み装置から取り込まれた顧客の顔の画像を表示し、顧客の顔の頭髪部分をベース画面として構成することもできる。
【００１３】
図２において、画面の中段右よりに配置された第２の表示領域２１には、カラーチャート２６が表示される。カラーチャート２６は、髪色データ格納部３に登録された各色およびヘアカラー剤データ格納部４に登録された各色を表示するブロックから構成されたマトリックス形状を有している。そして、この実施例では、第１入力部６は、このカラーチャート２６と、（図示されない）適当なポインティングデバイス、例えば、マウスとから構成され、マウスによってカラーチャート２６の所望の色ブロックが選択されることによって、髪色データ格納部３に登録された髪色のうちの１の髪色の選択の入力がなされる。
【００１４】
また、図２において、画面の下段右よりには、水平方向に間隔をあけて、第３の表示領域２２および第４の表示領域２３が配置され、第３および第４の表示領域２２、２３の間には、目盛りを備えたスライダ２４が表示される。この実施例では、第２入力部７は、スライダ２４と、第１入力部６の構成要素でもある、カラーチャート２６およびマウスから構成される。そして、マウスによってカラーチャート２６の所望の２つの色ブロックが選択されることによって、ヘアカラー剤データ格納部４に登録されたヘアカラー剤のうちの２つのヘアカラー剤の選択の入力がなされ、選択された２つのヘアカラー剤の色がそれぞれ第３および第４の表示領域２２、２３に表示される。さらに、スライダ２４がマウスによって動かされ、所望の位置にセットされることによって、選択された２つのヘアカラー剤の混合の割合の選択の入力がなされる。この場合、スライダ２４がスケール２７の真ん中の位置にあるとき、２つのヘアカラー剤の割合は５０％：５０％となり、スライダ２４の位置からスケールの各端までの長さの比率でヘアカラー剤の混合の割合が決まる。
【００１５】
本発明のシステムは、また、ヘアラインデータ格納部５に登録された表示データに基づき、対応するヘアライン画像を所定の透明度で、ベース画面の第１のレイヤーに表示する第１画像表示部８を備えている。この場合、ヘアライン画像は１種類でもよいが、この実施例では、ディスプレイ部１に表示される頭髪をより立体的に表現し、実際の頭髪に近い質感をもたせるため、このヘアライン画像とラインおよび色が異なる第２のヘアライン画像が重ね合わされる。このため、ベース画面表示部２によって表示されたベース画面は、第１および第２のレイヤーの間に中間レイヤーを備えており、システムは、さらに、前述のヘアライン画像とラインおよび色が異なる第２のヘアライン画像の表示データが予め登録された第２ヘアラインデータ格納部１２と、第２ヘアラインデータ格納部１２に登録された表示データに基づき、対応する第２のヘアライン画像を所定の透明度で、ベース画面の中間レイヤーに表示する第５画像表示部１３を備えている。
この場合、各レイヤーに表示されるヘアライン画像や色の透明度は、予めシステムをテスト運転し、ディスプレイ部１に表示される画面を見ながら、最適のディスプレイ表示が得られる値として、経験的に求められる。
【００１６】
本発明のシステムは、さらに、第１入力部６で受けた入力に基づき、選択された髪色のＲＧＢ値を髪色データ格納部３から抽出し、選択された髪色を透明度なしで、ベース画面の第５のレイヤーに表示する第２画像表示部９と、第２入力部７で受けた入力に基づき、選択された２つのヘアカラー剤のＲＧＢ値をヘアカラー剤データ格納部４から抽出し、選択されたヘアカラー剤の色をそれぞれ、ベース画面の第３および第４のレイヤーに、選択されたヘアカラー剤の混合の割合に対応した透明度で表示する第３画像表示部１０と、第１入力部６で受けた入力に基づき、選択された髪色のＲＧＢ値を髪色データ格納部３から抽出し、選択された髪色を所定の透明度で、ベース画面の第２のレイヤーに表示する第４画像表示部１１を備えている。
【００１７】
図３は、本発明のシステムによる画面のレイヤー表示を説明する図である。なお、図３では、説明を明瞭にするために、ベース画面は、頭髪部分の形状ではなく、台形状を有している。図３において、３０は、ベース画面の第１のレイヤーであり、３１は、中間レイヤーであり、３２〜３５は、第２〜第５のレイヤーである。
図３を参照して、システムの動作について簡単に説明する。まず最初、第１入力部６に元の髪色が入力され、第１画像表示部８によって、第１のレイヤー３０にヘアライン画像が所定の透明度で表示され、第５画像表示部１３によって、中間レイヤー３１に第２のヘアライン画像が所定の透明度で表示され、第２画像表示部９によって、第５のレイヤー３５に選択された髪色が透明度なしで表示される。そして、これらのレイヤー３０、３１、３５が重ね合わされることにより、ベース画面には、元の髪色を有する頭髪部分が表示される。
【００１８】
次に、第２入力部７に２つのヘアカラー剤の色およびその混合の割合が入力されると、第３画像表示部１０によって、第３のレイヤー３３および第４のレイヤー３４にそれぞれ、選択されたヘアカラー剤の色が所定の透明度で表示され、第４画像表示部１１によって、第２のレイヤー３２に選択された髪色が所定の透明度で表示される。そして、すべてのレイヤー３０〜３５が重ね合わされることにより、ベース画面には、２つのヘアカラー剤が適用された後の染上がりの髪色を有する頭髪部分が表示される。この場合、第２のレイヤー３２に、第５のレイヤー３５に表示されたのと同一の髪色が、所定の透明度で表示される他のレイヤーと重ね合わされることによって、より実際の染上がり髪色に近似した髪色３６が表示される。
【００１９】
この場合、ヘアライン画像および第２のヘアライン画像が表示されるレイヤー（第１のレイヤーおよび中間レイヤー）が、ヘアカラー剤の色が表示されるレイヤー（第３および第４のレイヤー）より上（ディスプレイの前面側）に位置するので、レイヤーの重ね合わせによってディスプレイ部１に表示されるヘアカラー剤の色は、実際の色より白っぽくなってしまう。これを防止するため、好ましくは、第３画像表示部１０は、選択された２つのヘアカラー剤の色を、その色が有するＲＧＢ値より予め決定された値だけ濃いＲＧＢ値を有する色に置き換えて、それぞれ、第３および第４のレイヤーに選択された混合の割合に対応した透明度で表示するようになっている。
どの程度の値だけ濃いＲＧＢ値を有する色を用いるかは、予めシステムをテスト運転し、ディスプレイ部１に表示される画面を見ながら、最適のディスプレイ表示が得られるようなものが求められる。
【００２０】
加えて、第３のレイヤーは、第４のレイヤーより上（ディスプレイの前面側）に位置するので、第２入力部７から入力された混合の割合に対応した透明度をそのまま適用すると、レイヤーの重ね合わせによってディスプレイ部１に表示される色は、実際に２つのヘアカラー剤が混合されたときに生じる色とは若干相違する。このため、実際に生じる混合色により近似した色を表示させるため、好ましくは、第３画像表示部１０は、第３のレイヤーに表示されるヘアカラー剤の色の透明度を、ヘアカラー剤の混合の割合から決定される透明度より所定値だけ低い値に変更し、かつ、第４のレイヤーに表示されるヘアカラー剤の色の透明度を、混合の割合から決定される透明度より前記所定値だけ高い値に変更し、第３および第４のレイヤーに、それぞれ、変更した透明度で、対応するヘアカラー剤の色を表示するようになっている。
この場合、透明度を変更するための所定値は、予めシステムをテスト運転し、ディスプレイ部１に表示される画面を見ながら、最適のディスプレイ表示が得られる値として、経験的に求められる。
【００２１】
こうして、本発明のカラーシミュレーションシステムによれば、レイヤー構造を備えた画面を形成し、各レイヤーに、ヘアライン画像およびヘアカラーリング前の元の髪色を所定の透明度で表示し、また、混合して適用される２種類のへカラー剤の色をその混合の割合に応じた透明度で表示して、それらを重ね合わせて表示したことにより、実際にヘアカラーリングによって染め上げられた髪色に非常に近似した質感および色合いの頭髪をディスプレイ表示することが可能となる。
【図面の簡単な説明】
【００２２】
【図１】本発明の１実施例によるカラーシミュレーションシステムの構成を示すブロック図である。
【図２】図１のシステムのディスプレイ部に表示される主要画面を示した図である。
【図３】図１のシステムによる画面のレイヤー表示を説明する図である。
【符号の説明】
【００２３】
１  ディスプレイ部
２  ベース画面表示部
３  髪色データ格納部
４  ヘアカラー剤データ格納部
５  ヘアラインデータ格納部
６  第１入力部
７  第２入力部
８  第１画像表示部
９  第２画像表示部
１０  第３画像表示部
１１  第４画像表示部
１２  第２ヘアラインデータ格納部
１３  第５画像表示部
【図１】
2007525293.tif 000003
【図２】
2007525293.tif 000004
【図３】
2007525293.tif 000005
【国際調査報告】
2007525293.tif 000006
2007525293.tif 000007
2007525293.tif 000008